(57)【要約】【課題】キーカバーを容易に取り外せて、キーの操作時に操作がし易い装着バンド型キーを提供する。【解決手段】硬質合成樹脂（ＰＯＭ）の固定部２の両側にリストバンド１，１を取り付ける。キー３をリストバンド１，１に直角となるようにして、キーヘッド３ａを固定部２に固定する。ポリウレタン製の可撓性を有するキーカバー４を固定部２に対して回動自在に枢着すうる。キーカバー４を変形して回動してキーカバー４をキー３から外す。固定部２を持ってキー操作する。【選択図】図１
2008022957.tif 000002
【特許請求の範囲】
【請求項１】
手首等に巻き付けて装着可能な装着用バンドにキーを取り付けた装着バンド型キーにおいて、
前記装着用バンドに取り付けられた固定部と、前記キーを覆うための可撓性を有するキーカバーとを備え、
前記キーが前記装着用バンドと直角方向になるように該キーのキーヘッドが前記固定部に固定され、前記キーカバーが、前記キーと平行にして該キーを覆う位置と該キーと角度を成す位置とで回動可能となるように前記固定部に枢着されている
ことを特徴とする装着バンド型キー。
【請求項２】
前記キーカバーが、前記固定部に枢着された枢着部から前記キーの一方の片側面、該キーの先端及び該キーの他方の片側面を連続に覆うように形成されていることを特徴とする請求項１に記載の装着バンド型キー。
【発明の詳細な説明】
【技術分野】
【０００１】
本発明は、キーの紛失を防ぐために、手首等に巻き付けて装着可能な装着用バンドにキーを取り付けた装着バンド型キーに関する。
【背景技術】
【０００２】
従来、温浴施設やプールなどで利用される貸しロッカーの施解除に用いるキーとして、施設利用中に紛失しないように手首等に装着可能なバンド等の装着用バンドにキーを取り付けた装着バンド型キーキーがあるる。この種のキーとして、例えば登録実用新案公報第３０１８７７８号（特許文献１）、特開２００１−３０９８４５号公報（特許文献２）に開示されたものがある。
【０００３】
特許文献１のものは、手首等に装着可能な可撓性を有するバンド本体の略中間部に、鍵を回動可能に枢設した袋状の鍵収納部を設けたものである。そして、回動自在に枢着した鍵を回動することにより、鍵収納部に対して収納可能にするとともに、鍵の使用時にはこの鍵を回動して鍵収納部から外側へ突出させるようにしている。
【０００４】
特許文献２のものは、手首等に脱着が容易なスパイラルコードにプラスチック成形品の鍵収納ケースを取り付け、この鍵収納ケースに鍵を回動自在に取り付けたものである。そして、鍵を回動することにより、鍵収納ケースの側方から出し入れ自在にしたものである。
【特許文献１】登録実用新案公報第３０１８７７８号
【特許文献２】特開２００１−３０９８４５号公報
【発明の開示】
【発明が解決しようとする課題】
【０００５】
このように、従来の装着バンド型キーは、特許文献１のような袋状の鍵収納部や特許文献２のようなプラスチック成型品の鍵収納ケースに対して、キーを回転して収納する方法が一般的である。特許文献１のものでは、キーを取り出す際にはバンド本体を裏返しにしてから鍵収納部に指を入れてキーに指を引っ掛けたり、キーを押し出して回転させて取り出す必要がある。このため、取り出しに手間がかかるという問題がある。
【０００６】
また、特許文献１のものでは鍵収納部が、軟質のプラスチック素材など可撓性のバンド本体と一体になっているので、ロッカーにキーを差し込んで操作する場合に、この可撓性の鍵収納部を摘みながら操作することになるので、安定して操作するのが困難となると言う問題がある。また、特許文献２のものは、鍵収納ケースはプラスチック成型品ではあるが、キーを操作する場合に鍵収納ケースを持って操作することになるので、キーが鍵収納ケースに対して回動し易く、操作がしにくいという問題があり、改良の余地がある。
【０００７】
本発明は、キーを覆うキーカバーを容易に取り外せて、キーの操作時に操作がし易いような、使い勝手のよい装着バンド型キーを提供することを課題とする。
【課題を解決するための手段】
【０００８】
請求項１の装着バンド型キーは、手首等に巻き付けて装着可能な装着用バンドにキーを取り付けた装着バンド型キーにおいて、前記装着用バンドに取り付けられた固定部と、前記キーを覆うための可撓性を有するキーカバーとを備え、前記キーが前記装着用バンドと直角方向になるように該キーのキーヘッドが前記固定部に固定され、前記キーカバーが、前記キーと平行にして該キーを覆う位置と該キーと角度を成す位置とで回動可能となるように前記固定部に枢着されていることを特徴とする。
【０００９】
請求項２の装着バンド型キーは、請求項１に記載の装着バンド型キーであって、前記キーカバーが、前記固定部に枢着された枢着部から前記キーの一方の片側面、該キーの先端及び該キーの他方の片側面を連続に覆うように形成されていることを特徴とする。
【発明の効果】
【００１０】
請求項１の装着バンド型キーによれば、キーカバーは可撓性を有するとともに固定部に対して回動可能に枢着されているので、キーカバーをキーから外して回動するだけで、このキーカバーをキーから容易に取り外すことができ、かつ、キーはそのキーヘッドが固定部に固定されているので、この固定部を持って容易に操作することができる。
【００１１】
請求項２の装着バンド型キーによれば、請求項１の効果に加えて、キーカバーでキーの両面と先端とを覆うことができるとともに、キーカバーの固定部に対する枢着部は片側のみとなっているのでその反対側をキーから剥がして容易に外すことがでいる。
【発明を実施するための最良の形態】
【００１２】
次に、本発明の装着バンド型キーの実施形態を図面を参照して説明する。図１は実施形態の装着バンド型キーのキーカバーを外した状態の正面図、図２は同装着バンド型キーのキーカバーを被せた状態の正面図及び底面図、図３は同装着バンド型キーの断面図、図４は同装着バンド型キーのキーカバーを外した状態とキーカバーを被せた状態の斜視図である。なお、図３は図２(A) のＡ−Ａ矢視断面図である。
【００１３】
この装着バンド型キーは、装着用バンドとしてのリストバンド１，１、固定部２、キー３、キーカバー４を備えている。リストバンド１，１はポリウレタン製の帯状の部材であり、手首等に巻き付けることができるように可撓性を有している。また、リストバンド１，１は固定部２の両側にそれぞれ取り付けられており、一方のリストバンド１にはその長手方向の中心線上に一定間隔で爪孔１ａ，１ａ，…が形成され、他方のリストバンド１には、その端部にバックル１１が取り付けられている。なお、バックル１１は後述の固定部２と同様な硬質樹脂製である。そして、バックル１１の爪１１ａを爪孔１ａ，１ａ，…の所望の位置に係合することで、リストバンド１，１を手首等の太さに合わせて固定することができる。
【００１４】
固定部２は硬質樹脂であるＰＯＭ（ポリオキシメチレン、アセタール樹脂）製の部材であり、内部に薄型の開口溝をなすキーヘッド嵌合部２ａが形成されるとともに両側にリストバンド１，１を取り付けるバンド保持部２ｂ，２ｂが形成されている。
【００１５】
キー３は金属製であり、前記固定部２のキーヘッド嵌合部２ａはキー３のキーヘッド３ａに整合する形状となっている。そして、キー３のキーヘッド３ａがキーヘッド嵌合部２ａ内に嵌合されている。また、キーヘッド３ａには後述のボス５，５が嵌合する孔３ｂ（図３参照）が形成されている。
【００１６】
キーカバー４はポリウレタン製であり可撓性を有する部材である。キーカバー４は長円形状の枢着部４ａと、この枢着部４ａの一端から延設された第１側面部４ｂ、この第１側面部４ｂに対向する第２側面部４ｃ、及び第１側面部４ｂと第２側面部４ｃとを連結する先端部４ｄとで構成されている。そして、枢着部４ａは固定部２の片側面に密着されるとともに、固定部２の両側から２つのボス５，５に貫通されている。このボス５，５は互いの接触部において固着されており、キーカバー４（その枢着部４ａ）は固定部２に対してボス５，５を回動軸として回動可能に枢着されている。
【００１７】
以上の構成により、図２、図３及び図４(B) のようにキーカバー４をキー３に被せた状態から、キーカバー４を外すときは、キーカバー４の第２側面部４ｃや先端部４ｄに指を当ててキーカバー４を第１側面部４ｂ側に曲げるように持ち上げ、そのままキーカバー４をボス５，５を軸にして固定部２に対して回動させる。これにより図１及び図４(A) のようにキーカバー４をキー３から外した状態にすることができる。この操作はきわめて簡単である。
【００１８】
また、キー３でロッカー等の錠の解錠や施錠を行うときはキーカバー４を外した状態で固定部２を持って操作する。この固定部２は硬質樹脂製であるとともに、この固定部２に対してキー３が固定されているので、きわめてキー操作がし易い。
【００１９】
このように、実施形態の装着バンド型キーは、リストバンド１，１がポリウレタン製で可撓性を有しており、手首等に巻き付けて装着可能となっている。また、固定部２は硬質樹脂製でリストバンド１，１に取り付けられ、キー３を覆うための可撓性を有するキーカバー４を備えている。そして、キー３がリストバンド１，１と直角方向になるように、このキー３のキーヘッド３ａが固定部２に固定され、キーカバー４が固定部２に対して枢着され、このキーカバー４は、図２及び図４(B) のようにキー３と平行にしてキー３を覆う位置と、図１及び図４(A) のようにキー３と角度を成す位置とで回動可能となっている。
【００２０】
また、キーカバー４は、固定部２に枢着された枢着部４ａからキー３の一方の片側面を覆う第１側面部４ｂと、キー３の先端を覆う先端部４ｄと、キー３の他方の片側面を覆う第２側面部４ｃとを有している。
【００２１】
実施形態では、固定部２がＰＯＭ製、キーカバー４がポリウレタン製である場合について説明したが、これに限らず、固定部は例えば硬質合成樹脂のように硬質であればよく、また、キーカバーは可撓性を有する部材であればよい。
【００２２】
また、実施形態では装着用バンドとして帯状のリストバンドの例を説明したが、スプリング状や紐状でもよく、手首等に装着できるものであればよい。
【図面の簡単な説明】
【００２３】
【図１】本発明の実施形態の装着バンド型キーのキーカバーを外した状態の正面図である。
【図２】同装着バンド型キーのキーカバーを被せた状態の正面図及び底面図である。
【図３】同装着バンド型キーの断面図である。
【図４】同装着バンド型キーのキーカバーを外した状態とキーカバーを被せた状態の斜視図である。
【符号の説明】
【００２４】
１      リストバンド（装着用バンド）
２      固定部
３      キー
３ａ    キーヘッド
４      キーカバー
【図１】
2008022957.tif 000003
【図２】
2008022957.tif 000004
【図３】
2008022957.tif 000005
【図４】
2008022957.tif 000006